(57)【要約】      （修正有）【課題】雨天時または夜間時に遠見でも傘を容易に識別することができて車両事故などを未然に防ぐことができ、保護キャップの前面に形成された開口部によって放出された光が床面に触れながら歩行の安全性を図ることができており、ビニル傘にも適用できる傘の端に発光素子を付けた発光傘を提供する。【解決手段】電源装置と連結され発光する発光ダイオード（ＬＥＤ）からなる発光素子１５１、傘骨の端部に嵌め込まれておりその内部にＬＥＤを収容して保護し前面に開口部１５５が形成されＬＥＤから発生された熱を外部に発散して発光された光の進行通路の役割を提供するための保護キャップ１５３、及び保護キャップ両側に貫通穴が形成され貫通穴に糸を通して傘布の端に固定支持されＬＥＤの方向が狂わないようにする連結部１７０とを有することを特徴とする。【選択図】図４
0003186190.tif 000002
【実用新案登録請求の範囲】
【請求項１】
傘柄の上部に傘骨と放水部材が備えられ下部にはハンドルが備えられた傘において、
上記傘骨の端に備えられる発光体を有し、
上記発光体は、
電源を供給され光を発光する発光ダイオード(LED)からなる発光素子；
内部に上記発光素子を有して該発光素子を保護しており、前面に開口部が形成され発光素子から発生された熱を外部に発散し、かつ、発光された光の進行通路の役割を提供するための保護キャップ；及び
上記保護キャップを上記傘柄の端に固定支持されるように連結する連結部；
を備えることを特徴とする発光傘。
【請求項２】
上記連結部は上記保護キャップの両側に貫通穴が形成され上記傘骨の端に対応される放水部材と連結されることを特徴とする請求項１に記載の発光傘。
【請求項３】
上記連結部は上記貫通穴と放水部材との間を糸で連結して発光素子の方向が狂わないようにすることを特徴とする請求項２に記載の発光傘。
【請求項４】
上記連結部は熱接着により上記放水部材と連結されることを特徴とする請求項２に記載の発光傘。
【請求項５】
上記放水部材は端の周縁に沿って支持部材を挿入して上記連結部の連結糸が支持部材によって支持されるようにすることを特徴とする請求項３に記載の発光傘。
【請求項６】
上記支持部材は糸であることを特徴とする請求項５に記載の発光傘。
【請求項７】
上記放水部材はビニル材質であることを特徴とする請求項１ないし６のいずれかに記載の発光傘。
【請求項８】
上記ハンドルの内部には発光素子に電源供給をするための電源装置が備えられていることを特徴とする請求項１に記載の発光傘。
【考案の詳細な説明】
【技術分野】
【０００１】
本考案は傘骨の端に発光素子(LED)が設けられる発光傘に関するものである。
【背景技術】
【０００２】
傘は雨天時、雨を避けるために用いられるもので、傘柄、傘柄の上端部の周縁に沿って放射状に連結される多数個の傘骨、傘骨に付着される防水布、傘柄の下端に形成される傘ハンドルとなることが一般的である。
一方、生活水準の向上による文化的欲求の増大と個性の発現を重視する社会的雰囲気によって、多様なデザインと機能を有する傘が開発され製品化されている趨勢である。
【０００３】
このような趨勢の一環として雨天時の識別性低下と傘の使用に従う視野確保の混乱性による交通事故の危険を防止しようと傘に照明機能を付加した技術が開発されている。
その例として、図１に示したような、ハンドル部に電池とスイッチを装着させて傘柄のつまみ部に発光素子(LED)を設けて発光できるようにしたものなどがある。
図１はLEDが装着された従来の発光傘の一例を示した斜視図である。
【０００４】
図１に示した従来の発光傘(１０)は傘ハンドル(１１)上部の傘柄(１３)と傘膜(１５)が結合される傘状結合部(１７)が備えられ、傘状結合部(１７)の外側上部側に内部にLEDを備えた発光部(１９)が備えられており、外部にLEDの光が照らされるようになるものである。そして、発光部(１９)に電源が供給されるように傘ハンドル(１１)に電池とスイッチを装着させ傘柄の内部及び傘骨柄の内部に電源供給線が備えられている。
【０００５】
しかしながら、殆どの従来発光傘は、傘のつまみ部分や傘柄の上端、傘柄の下端にLEDが装着されるようにするので、傘膜で隠されて照明効果があまり高くなく、装飾美も低くて好感を得られるのに至らぬ点が多かった。
特に、このような発光傘は主に子供たちが用いるようになるが、子供たちはこのような傘を手荒く扱ったり地面に突いて用いるためにLED部分が簡単に損傷され作動がされない問題点がある。
【考案の概要】
【考案が解決しようとする課題】
【０００６】
したがって、本考案は前述した問題点を解決するために案出されたもので、傘骨の端部にLED発光素子が結合されるようにすることで照明機能と装飾美が向上されることができる新しい形態の発光傘を提供することにある。
本考案の目的はまた、ビニル材質などの素材に制約なしで傘骨の端にLEDを設けることができる発光傘を提供することにある。
【課題を解決するための手段】
【０００７】
このような目的を達成するための本考案の発光傘は、傘柄の上部に傘骨と防水部材が備えられ下部にはハンドルが備えられた傘において、上記傘骨の端に備えられた発光体を含み、上記発光体は、電源を供給され光を発光する発光ダイオード(LED)からなる発光素子、内部に上記発光素子を収納して該発光素子を保護しており、前面に開口部が形成され発光素子から発生された熱を外部に発散し、かつ、発光された光の進行通路の役割を提供するための保護キャップ、及び上記保護キャップを上記傘骨の端に固定支持されるように連結する連結部を備えることを特徴とする。
【考案の効果】
【０００８】
本考案の発光傘は、傘骨の端に発光素子を備え、傘を差して歩行する際に傘の周りが全体的に調光できることによって歩行時の安全を図ることができるようになり、子供用傘に適用される際には子供の保護機能をさらに向上させることができるようになる。
また、本考案はビニル材質の傘にも適用されることができ、発光素子を保護するためのキャップに前面開口部を形成して放熱問題を解消し安全性を高めることができるようにすると共に開口部形状によって放出された光が床面に接しながら歩行の安全性を確保することができ、かつ、傘に対して購買意欲も増進させることができる効果がある。
【図面の簡単な説明】
【０００９】
【図１】従来発光傘を示す斜視図である。
【図２】本考案による発光傘を示す斜視図である。
【図３】図２の発光傘を示す部分断面図である。
【図４】図２の発光傘から傘骨の端部と発光素子間の結合部分を示す分解斜視図である。
【図５】図４結合部分の断面図である。
【考案を実施するための形態】
【００１０】
以下、添付した図面を参照して本考案の望ましい実施例を詳細に記述する。
図２及び図３は本考案による発光傘の斜視図及び部分断面図であり、図４及び図５は図２の発光傘から傘骨の端部と発光素子間との結合部分を示す分解斜視図及び端面図である。
【００１１】
図２乃至図５に示した本考案の発光傘(１００)は大きく傘柄(１１０)、傘骨(１２０)、放水部材(１３０)、傘ハンドル(１４０)を備えてなる。
傘柄(１１０)は傘(１００)の中央に配置されることで、多数個の傘骨(１２０)を支持するようになる。
傘骨(１２０)は傘柄(１１０)の上端部の周縁に沿って放射状に連結されており、この傘骨(１２０)の端に発光体(１５０)が設けられている。
放水部材(１３０)は傘骨(１２０)によって支持されることで、放水可能な布やビニルなどの材質が用いられる。
傘ハンドル(１４０)は傘柄(１１０)の下端に形成されており、その内部には発光体(１５０)に電源供給をするための電源装置(１６０)が備えられている。
【００１２】
発光体(１５０)は光を発光し視認性を高めて傘使用者の安全を確保するように役割を果すことで、電源を供給され光を発光する発光ダイオード(LED)からなる発光素子(１５１)と、発光素子(１５１)を保護するための保護キャップ(１５３)からなる。発光体(１５０)は傘骨(１２０)の端部だけではなく傘(１００)の頂部分にも共に設けることができる。
【００１３】
保護キャップ(１５３)は内部に収容された発光素子(LED)(１５１)から発光される光がよく見えるように透明材質と構成され、前面に円形の開口部(１５５)を形成して発光素子(LED)(１５１)から発生される熱が外部に発散されるようにして過熱を防止するようにすると共に光の進行通路の役割を果して光が触れる地面に開口部(１５５)形状に沿って円形の照明パタンが形成されるようにする。本実施例では、開口部(１５５)形状は円形としたがこれに限定せず多様にすることができる。
【００１４】
保護キャップ(１５３)の両側には傘骨(１２０)の端部との連結のための連結部(１５７)が形成されるようになる。
電源装置(１６０)はハンドル(１４０)内部に収納されるバッテリー(１６１)と、発光素子(LED)(１５１)の発光動作を制御するためのスイッチ(１６３)からなるようになる。ここで、スイッチ(１６３)はハンドル(１４０)の外側面に設けられて使用者によって操作できるようにする。
【００１５】
一方、傘骨(１２０)と発光体(１５０)間の結合構造を見れば、図４に示したように、傘骨(１２０)の端部に発光素子(LED)(１５１)が収容された保護キャップ(１５３)を嵌め込んだ後、保護キャップ(１５３)の両側に突出形成された連結部(１５７)と傘骨(１２０)の端部に対応する放水部材(１３０)の間を連結部材(１７０)に連結して固定させる。ここで、連結部材(１７０)は糸を用いて連結部(１５７)に形成された貫通穴（１５８）（図５）に糸を通して縫うことで、発光体（１５０）と、保護キャップ(１５３)の後面に嵌められた傘骨(１２０)の端部との方向性が狂わないようにすることができる。
この際、図４、図５に示すように、傘骨(１２０)の端に位置する放水部材(１３０)の端に縫い代を付けてその間に支持部材(１８０)を挿入し、連結部(１５７)の貫通穴（１５８）と傘骨(１２０)の端部の間を連結部材(１７０)である糸で縫う時に縫う糸が支持部材(１８０)に掛かるようにすることによって、該部位の放水部材(１３０)が破損されたり敗れたりしても、連結部（１５８）が支持部材(１８０)によって支持されるようになる。したがって、放水部材(１３０)がビニルとなった場合にも傘骨(１２０)の端部に堅固に発光素子(LED)(１５１)を設けることができる。ここで、支持部材(１８０)は連結部材(１７０)と同様に糸を用いる。
その他に、傘骨(１２０)と発光体(１５０)を結合する際、連結部(１５７)と放水部材(１３０)との間を熱接着に結合することもできる。
【００１６】
上記のように構成された本考案の作用を説明すれば次の通りである。
図２に示したように、傘柄(１１０)の下部のハンドル(１４０)の内部には、バッテリー(１６１)を収納する空間が備えられ、このハンドル(１４０)の一側にはスイッチ(１６３)を備えた電源装置(１６０)を形成しており、傘柄(１２０)の端に電源装置(１６０)と連結されスイッチ(１６３)の「オン(ON)/オフ(OFF)」によって点灯される発光素子(LED)(１５１)を備えている。
この際、電源装置(１６０)と発光素子(LED)(１５１)を連結する連結線(１６５)などは傘柄(１１０)の内部に挿入したり傘柄(１１０)の外部で固定すれば良く、傘柄(１１０)の上部ではそれぞれの傘骨(１２０)に沿って連結線(１６５)が発光素子(LED)(１５１)に連結されるものである。
したがって、ハンドル(１４０)に備えられた電源装置(１６０)のスイッチ(１６３)を「オン(ON)」させれば、傘骨(１２０)の端に備えられた発光体(１５０)から発光素子(LED)(１５１)が電源装置(１６０)の電源により発光するようになる。
【００１７】
発光素子(LED)(１５１)から発光される光は傘の放水部材(１３０)に滑らかに透明な保護キャップ(１５３)を通じて外部に直接照明されるようになり、特に、保護キャップ(１５３)の全面開口部(１５５)を通じて光が直接照射され地面に開口部(１５５)形状に沿って特定パタンが形成されるようになる。
【００１８】
本考案の実施例による発光傘を上記した説明及び図面によって図示したが、これは例を挙げて説明したことに過ぎなく、本考案の技術的思想を外れない範囲内で多様な変化及び変更が可能であることをこの分野の通常的な技術者らはよく理解できるのである。
【符号の説明】
【００１９】
１００：発光傘
１１０：傘柄
１２０：傘骨                            
１３０：放水部材
１４０：傘ハンドル                      
１５０：発光体
１５１：発光素子(LED)                   
１５３：保護キャップ
１５５：全面開口部                      
１５７：連結溝
１５８：貫通穴
１６０：電源装置                        
１６１：バッテリー
１６３：スイッチ                        
１７０：連結部材
１８０：支持部材
【図１】
0003186190.tif 000003
【図２】
0003186190.tif 000004
【図３】
0003186190.tif 000005
【図４】
0003186190.tif 000006
【図５】
0003186190.tif 000007